(57)【要約】【課題】場所や時間にかかわらず必要なときにいつでも心地よいマッサージを受けることができる健康器具を提供すること。【解決手段】手首の幅より小さい振動器本体Ｖと、これを手首に取り付けるためのベルトＢから成るものとしている。振動器本体Ｖには、肌に接触面に複数の突起５を設けてある。突起５は磁力を有する材料で構成させてある。振動器本体Ｖによる振動は、出力状態と非出力状態が交互に起こるようにしてある。ベルトＢは、可撓性を有するものであり、少なくとも一部を弾性部としてある。【選択図】  図２
2004229724.tif 000002
【特許請求の範囲】
【請求項１】
手首の幅より小さい振動器本体と、これを手首に取り付けるためのベルトから成ることを特徴とする健康器具。
【請求項２】
振動器本体には、肌に接触面に複数の突起を設けてあることを特徴とする請求項１記載の健康器具。
【請求項３】
突起は磁力を有する材料で構成させてあることを特徴とする請求項２記載の健康器具。
【請求項４】
振動器本体による振動は、出力状態と非出力状態が交互に起こることを特徴とする請求項１乃至３のいずれかに記載の健康器具。
【請求項５】
ベルトは、可撓性を有するものであり、少なくとも一部を弾性部としてあることを特徴とする請求項１乃至４のいずれかに記載の健康器具。
【発明の詳細な説明】
【０００１】
【発明の属する技術分野】
この発明は、小型でマッサージ機能を持つ健康器具に関するものである。
【０００２】
【従来の技術】
近年、健康を気づかう人が多くなっており、デパート等の健康器具コーナーは非常に人気がある。
【０００３】
健康器具は、市場に数多く出回っているが、マッサージ機能を持つものは主として大型のものが多く且つ場所・時間にかかわらず必要なときにいつでも使用できるというものではなかった。
【０００４】
また、小型マッサージ器としては内部にバイブレータを有する棒形状のものが存在するが、使用中には他人にそれが判ってしまい、やはり、いつでもどこでも使用できるというものではなかった（例えば、特許文献１参照。）。
【０００５】
【特許文献１】
特開平８−１３１４９９号公報
【０００６】
【発明が解決しようとする課題】
そこで、この発明は、場所や時間にかかわらず必要なときにいつでも心地よいマッサージを受けることができる健康器具を提供することを課題とする。
【０００７】
【課題を解決するための手段】
（請求項１記載の発明）
この発明の健康器具は、手首の幅より小さい振動器本体と、これを手首に取り付けるためのベルトから成るものとしている。
【０００８】
この発明の健康器具は、腕時計の感覚で手首に取り付けることができ、違和感がないので、場所や時間にかかわらず必要なときにいつでも心地よいマッサージを受けることができる。この際、手首の周りにあるツボを含んだ領域が心地よく刺激される。
（請求項２記載の発明）
この発明の健康器具は、上記請求項１記載の発明に関し、振動器本体には、肌に接触面に複数の突起を設けてある。
【０００９】
振動器本体には肌に接触する面に突起を設けてあるから、振動によりツボが集中的に刺激され、心地良いと共に健康維持にも役立つ。
（請求項３記載の発明）
この発明の健康器具は、上記請求項２記載の発明に関し、突起は磁力を有する材料で構成させてある。
【００１０】
振動器本体には肌に接触する面に磁力を有する突起を設けてあるから、振動によりツボが集中的に刺激され且つ磁力により血行がよくなり、心地良いと共に健康維持にも役立つ。
（請求項４記載の発明）
この発明の健康器具は、上記請求項１乃至３のいずれかに記載の発明に関し、振動器本体による振動は、出力状態と非出力状態が交互に起こるようにしてある。
【００１１】
振動器本体による振動は、出力状態と非出力状態が交互に起こるようにしてあるから、振動があるときと無いときがはっきりと知覚でき、心地よさが実感できる。
（請求項５記載の発明）
この発明の健康器具は、上記請求項１乃至４のいずれかに記載の発明に関し、ベルトは、可撓性を有するものであり、少なくとも一部を弾性部としてある。
【００１２】
ベルトをこのような構成とした場合、振動器本体は腕にしっかりとフィットした状態に押し付けられ、これによりツボへの刺激等の効果が大きい。
【００１３】
【発明の実施の形態】
以下に、この発明の実施の形態の健康器具を図面を参照しつつ説明する。
〔実施形態１〕
図１は、この発明の実施形態の健康器具の表面側の外観斜視図、図２は前記健康器具の肌と接触する面側の外観斜視図、図３は前記健康器具の振動器本体の蓋部を取り外した状態を示す斜視図、図４は前記振動器本体に具備させた振動発生機の正面図である。
（この健康器具Ｗの基本構成について）
この実施形態の健康器具Ｗは、図１や図２に示すように、手首の幅より小さく且つ薄い形状の振動器本体Ｖと、これを手首に取り付けるためのベルトＢ，Ｂから構成されている。
（振動器本体Ｖの構成について）
振動器本体Ｖは、手首の幅より小さく且つ薄い形状であり、図１や図３に示すように、メインスイッチ３０、スイッチ３１、薄型電池３２、ＬＥＤ３３、その他電子部品３４及び振動発生機４が配設された基板３が取り付けられている基台部１と、前記した全ての部品を覆う蓋部２とから構成されている。
【００１４】
基台部１は、図３に示すように、基板３が収まる凹み部１０と、一対の対抗する辺部分に設けられたベルト取付用耳部１１，１１とを具備するものとしてあり、前記凹み部１０の周面を形成する壁面に複数の係止孔１２を設けてある。また、この基台部１の裏面（肌と対抗する側の面）には、図２に示すように、直径３ｍｍ程度の２５個の突起５（少なくとも先端部を磁力を帯びた材料とすることができる）を５行×５列で設けてある。
【００１５】
蓋部２は、図３に示すように、基台部１と平面視形状が同じキャップ２０と、前記キャップ２０の周壁端に延設した係止爪２１とから構成されている。なお、前記係止爪２１と係止孔１２とは対応する位置に配置されており、蓋部２を基台部１に対面させた状態で押し付けることにより係止爪１１ｂが係止孔１０ｃに引っ掛かり、蓋部２が基台部１０に対して取付けられるようになっている。
【００１６】
メインスイッチ３０は、図１や図３に示すように上記した基台部１に設けた開口部１３から突出させてあり、指によるＯＮ／ＯＦＦ操作ができるようにしてある。
【００１７】
スイッチ３１は、図１に示すように蓋部２に形成した矢印形状の押し込み部２２を押し込むことでＯＮ状態となるようにしてあり、これにより薄型電池３２を電源としてＬＥＤ３３や振動発生機４が出力可能な状態となるようにしてある。
【００１８】
振動発生機４は、図４に示すように、モータ４０を基板３に設けられたバネ４３で支えられており、前記モータ４０の回転軸４１には偏心板４２が取付けられている。したがって、モータ４０が出力状態になると、回転軸４１に取付けられた偏心板４２が回転してモータ４０が振動し、振動器本体Ｖ全体が振動する。
【００１９】
ここで、この実施形態では、メインスイッチ３０をＯＮ状態にし、押し込み部２を介してスイッチ３１を押し込むと、ＬＥＤ３３や振動発生機４の出力状態（３秒間）と非出力状態（３秒間）が、交互に起こるように設定してある。
（ベルトＢ，Ｂの構成について）
ベルトＢは、図１や図２に示すように、各ベルト取付用耳部１１，１１の孔を利用して取付けられている。
【００２０】
ベルトＢは、全体として可撓性を有するものであり、少なくとも一部を伸縮部（例えば、ゴムベルト部６）とすると共に、マジックテープ（登録商標）６０を貼り付けてある。したがって、このベルトＢ，Ｂではそれぞれに設けられたマジックテープ６０の存在により、振動器本体Ｖを手首に簡単に取付けることができることになる（図１の二点鎖線を参照）。
（この健康器具Ｗの優れた効果について）
▲１▼．この健康器具Ｗは、腕時計の感覚で手首に取り付けることができ、他人に見られたとしても恥ずかしさを感じない。また、手首に取り付けた状態において使用者においても全く違和感がない。さらに、他人からみると、腕時計であるように見えるので場所や時間にかかわらず必要なときにいつでも心地よいマッサージを受けることができる。
▲２▼．振動器本体Ｖには肌に接触する面に９個の突起５を設けてあるから、手首のほぼ片面（外側面又は内側面）の各所に突起５が当たることになり、振動によりツボが集中的に刺激され且つ磁力により血行がよくなる。よって、使用時においては非常に心地良く、長い目でみれば健康維持・増進にも役立つことになる。
▲３▼．振動器本体Ｖによる振動は、出力状態（３秒間）と非出力状態（３秒間）が交互に起こるようにしてあるから、振動があるときと無いときがはっきりと知覚でき、心地よさが実感できる。
▲４▼．ベルトＢは少なくとも一部を伸縮部（例えば、ゴムベルト部６）としているから振動器本体Ｖは手首にしっかりとフィットした状態に押し付けられ、突起５によるツボへの刺激等の効果は非常に大きいものとなる。
▲５▼．この健康器具Ｗでは、メインスイッチ３０をＯＦＦの状態にしておけば、たとえ、押し込み部２を介してスイッチ３１が押し込まれたとしても、不用意に振動器本体Ｖが振動することはない。
〔他の実施形態〕
▲１▼．突起５の個数及び配列は、実施形態１のものに限定されることなく、自由に変更することができる。また、突起５は磁力を有さないものとしてもよい。
▲２▼．実施形態１ではＬＥＤ３３を設けてあるが、これは必須のものではなく、ＬＥＤ３３を有しないものとすることができる。
▲３▼．実施形態１では、バンドＢは少なくとも一部が伸縮部（例えば、ゴムベルト部６）であるものとしているが、これは必須のものではなく、通常の腕時計に使用されているようなバンドでもよい。
▲４▼．実施形態１では、メインスイッチ３０とスイッチ３１を設けているが、一つのスイッチのみであってもよい。
▲５▼．メインスイッチ３０とスイッチ３１が共にＯＮ状態にあるときには、振動器本体Ｖが連続的に振動するようにしてもよい。
▲６▼．図５中、Ｐ．Ｃ．Ｂで示されたものは制御器であり、ヒータ７と低周波発生器８を具備する健康器具である。なお、この発明の健康器具においてヒータ７を備えるようにする場合、ヒータ７は電気消費量が大きいので、外部電力用のコネクタを設け、このコネクタに外部電力（１００〜２２０Ｖ）を接続するようにしたものとする。
▲７▼．また、図５に示した健康器具に、電気式のイオン発生器を付加することもできる。
▲８▼．  上記した突起５の形状及び配列にかえて、図６に示すように、三角柱を横倒しにした突起５ａが多数個連続して成る列を、三列形成するようにしてもよい。なお、三列に限定されるものではなく一列、二列、四列以上でもよい。
▲９▼．基台部１の裏面に図７に示す如く、三角柱を横倒しにした突起５ａ，三角錘形状の突起５ｂ，円錐の突起５ｃをランダム（又は規則的）に配置するようにしてもよい。つまり、この健康器具においては、突起の形状及び配置は自由である。
【００２１】
【発明の効果】
この発明は以下に示すような効果を奏する。
【００２２】
発明の実施の形態の欄に記載した内容から明らかなように、場所や時間にかかわらず必要なときにいつでも心地よいマッサージを受けることができる健康器具を提供できた。
【図面の簡単な説明】
【図１】この発明の実施形態の健康器具の表面側の外観斜視図。
【図２】前記健康器具の肌と接触する面側の外観斜視。
【図３】前記健康器具の振動器本体の蓋部を取り外した状態を示す斜視図。
【図４】前記振動器本体に具備させた振動発生機の正面図。
【図５】他の実施形態の健康器具の電気回路系のブロック図。
【図６】基台部の裏面に、三角柱を横倒しにした形状の突起を配置させた健康器具の斜視図。
【図７】基台部の裏面に、三種類の形状の突起を配置させた健康器具の斜視図。
【符号の説明】
Ｗ      健康器具
Ｖ      振動器本体
Ｂ      ベルト
１      基台部
２      蓋部
３      基板
４      振動発生機
５      突起
【図１】
2004229724.tif 000003
【図２】
2004229724.tif 000004
【図３】
2004229724.tif 000005
【図４】
2004229724.tif 000006
【図５】
2004229724.tif 000007
【図６】
2004229724.tif 000008
【図７】
2004229724.tif 000009